(57)【要約】【課題】  パソコンのエクセルを用いて表を作成する際スムースに所望する表を短時間で行う。【解決手段】  断面が薄い矩形の直定規に、１／１００を基準として１／５００と１／３００との縮尺目盛りを付設した一本のスケールを用いることにより可能とし、従来から用いられている三角スケールのように余計な縮尺目盛りがあるため選定に手間取ることが無く行える。【選択図】図１
0003122795.tif 000002
【実用新案登録請求の範囲】
【請求項１】
断面が薄い矩形の直定規に、１／１００を基準として１／３００と１／５００との縮尺目盛りを付設したことを特徴とするパソコンのエクセル用スケール。
【考案の詳細な説明】
【技術分野】
【０００１】  本考案は、パソコンのエクセルを用いて表を作成する際に使用するスケールに関する。
【背景技術】
【０００２】  従来パソコンのエクセルを用いて表を作成する際、該エクセルのセルである行と列の枠の範囲を設定する場合範囲の配分が所望どうりにいかず、用紙に印刷をしても表が印刷範囲よりはみ出して、はみ出した部分が印刷されなかったり、反対に印刷範囲より狭くなり全体のバランスが思わしくなく、所望どうりの表にするために時間と労力がかかっていた。【０００３】  考案者はエクセルのセルの表示数値と印刷によって表示された寸法数値の関係を調べたところ、エクセルの行の数値（パソコンのエクセルでは、高さとして表示）と印刷によって表示された寸法数値では１／３００の縮尺目盛りとが一致し、また、列においても同様、列の数値（パソコンのエクセルでは、幅として表示）と印刷によって表示された寸法数値では１／５００の縮尺目盛りとが一致することを判明した。【０００４】  そこで、考案者は、従来からあり、機械設計や建築設計等に広く使用されているいわゆる三角スケールを使用して表の作成をした。【０００５】  しかしながら、従来からある三角スケールを使用して表を作成した際、三角スケールには、１／１００、１／２００、１／３００、１／４００、１／５００、１／６００の６通りの表示が設定されているため、いざエクセルで使用しても、所望する尺度、例えば行として使用する１／３００縮尺目盛り、および列として使用する１／５００縮尺目盛りを即座に選定するには余計な縮尺目盛りがあるために作業性が悪く必用とする縮尺目盛りを選定する際、その都度三角スケールを回して選定しなければならず、選定に混乱して面倒で不必要な神経を使い無駄な時間と労力を使うことになり、疲労の原因となっていた。
【考案が解決しょうとする課題】
【０００６】  本考案の目的は上述の問題点に鑑み、尺度の選定が面倒ではなく直ちに選定ができるものとして断面が薄い矩形の直定規に、１／１００を基準として１／３００と１／５００との縮尺目盛りを付設したスケールを使用することで、三角スケールでの縮尺目盛りの選定する面倒性はなく、エクセルの表の作成に極めて容易なるスケールを提供することにある。
【課題を解決するための手段】
【０００７】  上記の目的を達成するための手段は、断面が薄い矩形の直定規に、１／１００を基準として１／３００と１／５００との縮尺目盛りを付設したことを特徴とするものである。
【考案の効果】
【０００８】  本発明のスケールにてパソコンのエクセルの表を作成する際、エクセルの行においては、１／３００の縮尺目盛り表示部を使用して行い、行数字を設定して印刷をすると、行の印刷表示寸法として１／３００のスケール目盛りの数値として表示され、逆に行の印刷表示寸法から１／３００のスケール目盛りで行寸法を測定した数値をエクセルの行寸法として変換することができる。
【０００９】  また、もう一方の列についても行と同様な操作で、１／５００の縮尺目盛り表示部を使用して行い、列数字を設定して印刷をすると、列の印刷表示寸法として１／５００のスケール目盛りの数値として表示され、逆に列の印刷表示寸法から１／５００のスケール目盛りで行寸法を測定した数値をエクセルの列寸法として変換することができる。
【００１０】  特に本考案のパソコンのエクセルの表の作成のように使用される縮尺目盛りが明確に限定されている場合には、余計な縮尺目盛りが多くあることは、返って煩雑で目障りでもあり、使用の際の混乱を招くことになる。
【００１１】  そこで、本考案のスケールを使用することによって、従来からある三角スケールを使用するように縮尺目盛りを選定するために三角スケールを回して探すことがなく容易に選定することができ、作業性もよく時間と労力の無駄が省けパソコン操作の疲労も緩和することになる。
【００１２】  また、本考案のスケールは構造が簡単で廉価に製造でき、机上に載置しても違和感がなくその上携帯しやすいものである。
【考案の実施するための最良の形態】
【００１３】  以下、本考案の実施の形態を説明する。図１は本考案の実施例の最良の形態を示したもので、スケール１は断面が薄い矩形で透明なプラスチック製の厚み２ｍｍ、幅４ｃｍ、長さ２５ｃｍの直定規のスケールで、該スケールの片面Ａ部の略中央部の左端面部Ｐから右方向に、基準とする１／１００の縮尺目盛りＺ部を付設し、その下部にはエクセルの行に対応すべく左端面部Ｐから右方向に１／３００の縮尺目盛りＹ部を付設し、また上部にはエクセルの列に対応すべく左端面部Ｐから右方向に１／５００の縮尺目盛りＸ部を付設したパソコンのエクセル用スケールである。
【００１４】  使用例として、例えば、図２に示すように、印刷における範囲Ｑ部の行からエクセルへの変換は、印刷の行寸法Ｂをスケール１の１／３００の縮尺目盛りＹ部で測定してその数値６０をエクセルの行寸法、すなわち、高さ６０に設定するとエクセルに行間隔として表示される。
【００１５】  また、列についても、図３に示すように印刷における範囲Ｑ部の列からエクセルへの変換は、印刷の列寸法Ｃをスケール１の１／５００の縮尺目盛りＸ部で測定してその数値３０をエクセルの列寸法、すなわち、幅３０に設定するとエクセルに列間隔として表示される。
【００１６】  そして、図４は図２と図３とが合わされパソコンのエクセルのセル番号Ｂ３部に行６０、列３０のセル範囲が表示されたものである。
【００１７】  さらに、図２と図３との逆の方法、すなわちエクセルに行として６０、列として３０を指示して印刷をすると、行はスケール１の１／３００の縮尺目盛りＹ部で３０として測定され、列はスケール１の１／５００の縮尺目盛りＸ部で６０として測定される。
【００１８】  以上の実施形態にあっては、本考案の説明のための一実施例であり、このもののみに限定されるものではなく、材料も透明プラスチック製の他に、竹製、アルミ製、ステンレス製等があり、ステンレス製には磁着性の物も考えられる。また、寸法にしても材料によって製法に適した寸法にすればよい。また、本考案にはスケールの一面のみを使用したがスケールによっては、二面を使用してもなんら支障はない。さらに、本スケールには、行に対する１／３００の縮尺目盛りＹ部と、列に対する１／５００の縮尺目盛りＸ部の判明が明確にできるように色による表示をすることが好ましい。
【００１９】  本実施の形態においては、エクセルの表の作成に一本のスケールを使用することによって可能であり、しかも、三角スケールのように縮尺目盛りを選定するためにわざわざ回して選定を行う煩わしさがなく、短時間に極めてスムースに行うことによって、表の作成において作業者の混乱を招くことがなく長時間の作業にもかかわらず、作業者の神経的疲労の軽減に功を奏するものである。
【図面の簡単な説明】
【００２０】
【図１】本考案のパソコンのエクセル用スケールの正面図
【図２】本考案の行寸法の測定方法
【図３】本考案の列寸法の測定方法
【図４】本考案のパソコン表示
【符号の説明】
【００２１】  １  スケール本体
Ａ  表示面
Ｐ  端面
Ｙ  １／３００縮尺目盛り（行用）
Ｘ  １／５００縮尺目盛り（列用）
Ｚ  １／１００基準目盛り
Ｑ  印刷による範囲
Ｂ  行の測定寸法
Ｃ  列の測定寸法
【図１】
0003122795.tif 000003
【図２】
0003122795.tif 000004
【図３】
0003122795.tif 000005
【図４】
0003122795.tif 000006